(57)【要約】【課題】容易に製造することができるとともに、便の漏れを良好に防止することができる吸収性物品を提供する。【解決手段】吸収体１１を含む剛性吸収体５０と、剛性吸収体５０の一方の面を被覆するように配置され、少なくとも一部が液透過性材料からなるトップシート１２と、剛性吸収体５０の他方の面を被覆するように配置され、液不透過性材料からなるバックシート１３と、を有する吸収性本体１０を備え、剛性吸収体５０は、短手方向の一方の第一の端部１０ａと短手方向の他方の第二の端部１０ｂとを有するものであり、第一の端部１０ａと第二の端部１０ｂとが互いに近接するように外力がかけられると、第一の端部１０ａと第二の端部１０ｂとの間の中央領域が装着者から離れる方向に突出して、装着者の股下との間に空間を形成し得る吸収性物品１００。【選択図】図２
2010051469.tif 000002
【特許請求の範囲】
【請求項１】
吸収体を含む剛性吸収体と、前記剛性吸収体の一方の面を被覆するように配置され、少なくとも一部が液透過性材料からなるトップシートと、前記剛性吸収体の他方の面を被覆するように配置され、液不透過性材料からなるバックシートと、を有する吸収性本体を備え、
前記剛性吸収体は、短手方向の一方の第一の端部と短手方向の他方の第二の端部とを有するものであり、前記第一の端部と前記第二の端部とが互いに近接するように外力がかけられると、前記第一の端部と前記第二の端部との間の中央領域が突出して、装着者の股下との間に空間を形成し得る吸収性物品。
【請求項２】
前記剛性吸収体は、前記吸収体の前記バックシート側に配置される平板状の剛性部材を更に含むものである請求項１に記載の吸収性物品。
【請求項３】
前記剛性吸収体は、前記剛性部材を複数有し、
複数の前記剛性部材は、それぞれ、長手方向の中心軸が前記吸収体の長手方向の中心軸に平行になるように配置されている請求項２に記載の吸収性物品。
【請求項４】
前記剛性部材には、前記吸収体の長手方向に平行に、他の部分よりも厚さが薄くなっている折れ線が少なくとも一つ形成されている請求項２または３に記載の吸収性物品。
【請求項５】
前記剛性部材は、ハンドルオ・メーターによる測定値が１００〜７００ｇの部材である請求項２〜４のいずれか一項に記載の吸収性物品。
【請求項６】
前記剛性吸収体は、剛性の吸収体からなるものである請求項１に記載の吸収性物品。
【請求項７】
前記剛性吸収体は、複数の前記剛性の吸収体からなり、
複数の前記剛性の吸収体は、それぞれ、長手方向の中心軸が前記吸収性本体の長手方向の中心軸に平行になるように配置されている請求項６に記載の吸収性物品。
【請求項８】
前記剛性の吸収体には、その長手方向に平行に、他の部分よりも厚さが薄くなっている折れ線が少なくとも一つ形成されている請求項６または７に記載の吸収性物品。
【請求項９】
前記剛性の吸収体は、ハンドルオ・メーターによる測定値が１００〜７００ｇのものである請求項６〜８のいずれか一項に記載の吸収性物品。
【請求項１０】
前記吸収性本体を長手方向に沿って折り重ねて形成されるものであり、前記折り重ねられた部分の一部が固定されている一対の襞を有する請求項１〜９のいずれか一項に記載の吸収性物品。
【請求項１１】
前記吸収性本体の中央部を長手方向に沿って２つ折りにして形成されるものである請求項１〜９のいずれか一項に記載の吸収性物品。
【発明の詳細な説明】
【技術分野】
【０００１】
本発明は、吸収性物品に関し、更に詳しくは、容易に製造することができるとともに、便の漏れを良好に防止することができる吸収性物品に関する。
【背景技術】
【０００２】
近年、乳幼児用、または高齢者・障害者用のおむつとして、吸収体と、吸収体の上面を被覆するように配置され、少なくとも一部が液透過性材料からなるトップシートと、吸収体の下面を被覆するように配置され、液不透過性材料からなるバックシートとを備えた使い捨ておむつが汎用されている。この使い捨ておむつは、トップシートの表面を着用者の肌に接するように宛がって使用することにより、着用者の排泄した尿はトップシートを透過して、吸収体によって吸収・保持されるとともに、防漏性に優れたバックシートによって、排泄物のおむつ外部への漏洩が防止されるというものである。
【０００３】
しかしながら、前記のような構成の使い捨ておむつでは、尿についてはトップシートを透過するものの、便についてはその殆どがトップシートを透過しないので漏れてしまうことが多かった。そして、特に、流動性の高い、軟便・水様便の場合、漏れてしまうことが多く、その場合には、使い捨ておむつだけでなく、着衣、シーツ、寝具等の全てを交換する必要があり、交換する介護者、及び交換される利用者の両方共に非常に大きな負担を強いることとなるものである。
【０００４】
そこで、吸収体の一部に便を収容可能な凹部を形成した使い捨て衛生吸収物品や使い捨ておむつが提案されている（例えば、特許文献１又は２参照）。また、着用者の肌の非当接側に下方に延びる大便収容袋が取り付けられた使い捨ておむつが提案されている（例えば、特許文献３参照）。これらの使い捨ておむつ等では、着用者の排泄した便が凹部または大便収容袋に収容されるように構成されている。
【０００５】
【特許文献１】実開平６−５６１４号公報
【特許文献２】特開平８−１９１８５７号公報
【特許文献３】特開２００２−２５３６０９号公報
【発明の開示】
【発明が解決しようとする課題】
【０００６】
しかしながら、特許文献１及び２に記載された吸収性物品は、便を収容可能な凹部によって形成される空間の大きさが十分ではなく、収容した便が凹部から漏れ出てしまうことがあった。また、吸収体の一部に凹部を形成するため、構造が複雑になり、製造に手間がかかるという問題があった。また、特許文献３に記載された吸収性物品は、構造が複雑であるために、生産性が極めて低いという問題があった。
【０００７】
本発明は、このような従来技術の有する問題点に鑑みてなされたものであり、容易に製造することができるとともに、便の漏れを良好に防止することができる吸収性物品を提供するものである。
【課題を解決するための手段】
【０００８】
本発明によれば、以下に示す吸収性物品が提供される。
【０００９】
［１］  吸収体を含む剛性吸収体と、前記剛性吸収体の一方の面を被覆するように配置され、少なくとも一部が液透過性材料からなるトップシートと、前記剛性吸収体の他方の面を被覆するように配置され、液不透過性材料からなるバックシートと、を有する吸収性本体を備え、前記剛性吸収体は、短手方向の一方の第一の端部と短手方向の他方の第二の端部とを有するものであり、前記第一の端部と前記第二の端部とが互いに近接するように外力がかけられると、前記第一の端部と前記第二の端部との間の中央領域が突出して、装着者の股下との間に空間を形成し得る吸収性物品。
【００１０】
［２］  前記剛性吸収体は、前記吸収体の前記バックシート側に配置される平板状の剛性部材を更に含むものである前記［１］に記載の吸収性物品。
【００１１】
［３］  前記剛性吸収体は、前記剛性部材を複数有し、複数の前記剛性部材は、それぞれ、長手方向の中心軸が前記吸収体の長手方向の中心軸に平行になるように配置されている前記［２］に記載の吸収性物品。
【００１２】
［４］  前記剛性部材には、前記吸収体の長手方向に平行に、他の部分よりも厚さが薄くなっている折れ線が少なくとも一つ形成されている前記［２］または［３］に記載の吸収性物品。
【００１３】
［５］  前記剛性部材は、ハンドルオ・メーターによる測定値が１００〜７００ｇの部材である前記［２］〜［４］のいずれかに記載の吸収性物品。
【００１４】
［６］  前記剛性吸収体は、剛性の吸収体からなるものである前記［１］に記載の吸収性物品。
【００１５】
［７］  前記剛性吸収体は、複数の前記剛性の吸収体からなり、複数の前記剛性の吸収体は、それぞれ、長手方向の中心軸が前記吸収性本体の長手方向の中心軸に平行になるように配置されている前記［６］に記載の吸収性物品。
【００１６】
［８］  前記剛性の吸収体には、その長手方向に平行に、他の部分よりも厚さが薄くなっている折れ線が少なくとも一つ形成されている前記［６］または［７］に記載の吸収性物品。
【００１７】
［９］  前記剛性の吸収体は、ハンドルオ・メーターによる測定値が１００〜７００ｇのものである前記［６］〜［８］のいずれかに記載の吸収性物品。
【００１８】
［１０］  前記吸収性本体を長手方向に沿って折り重ねて形成されるものであり、前記折り重ねられた部分の一部が固定されている一対の襞を有する前記［１］〜［９］のいずれかに記載の吸収性物品。
【００１９】
［１１］  前記吸収性本体の中央部を長手方向に沿って２つ折りにして形成されるものである前記［１］〜［９］のいずれかに記載の吸収性物品。
【発明の効果】
【００２０】
本発明の吸収性物品は、容易に製造することができるとともに、両足で挟み込む力、または併用するおむつで抑える力等の、着用時に、自然に発生する力を利用して便を保持する空間を作り、便の漏れを良好に防止することができるという効果を奏するものである。
【発明を実施するための最良の形態】
【００２１】
以下、本発明を実施するための最良の形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００２２】
［１］吸収性物品：
図１は、本発明の吸収性物品の一の実施形態（第一の実施形態）を示す斜視図であり、トップシート１２側から見た図である。なお、図１に示す吸収性物品１００は、剛性部材１５を透視して破線で示している。また、図２は、図１に示す吸収性物品１００のＸ−Ｘ’断面を示す模式図である。図２に示すように、吸収性物品１００は、吸収体１１を含む剛性吸収体５０と、剛性吸収体５０の一方の面を被覆するように配置され、一部が液透過性材料からなるトップシート１２と、剛性吸収体５０の他方の面を被覆するように配置され、液不透過性材料からなるバックシート１３と、を有する吸収性本体１０を備えている。剛性吸収体５０は、吸収体１１以外に、吸収体１１のバックシート１３側に配置される２つの平板状の剛性部材１５を含むものであり、短手方向の一方の第一の端部１０ａと短手方向の他方の第二の端部１０ｂとを有する。
【００２３】
そして、剛性吸収体５０は、第一の端部１０ａと第二の端部１０ｂとが互いに近接するように外力（例えば、装着者の内股２００による力）がかけられると、第一の端部１０ａと第二の端部１０ｂとの間の中央領域が装着者から離れる方向に突出し、吸収性物品１００と装着者の股下との間に空間を形成し得るものである。
【００２４】
図３は、図１に示す吸収性物品１００を装着した状態を示す模式図であり、吸収性物品１００と装着者の股下との間に空間１８が形成されている状態を示している。吸収性物品１００は、図３に示すように、装着者の股下に宛がわれ、その後、内股２００で挟み込まれることによって、第一の端部１０ａと第二の端部１０ｂとが互いに近接するように装着者の内股による力（外力）がかけられると、剛性吸収体５０の第一の端部１０ａと第二の端部１０ｂとの間の中央領域が、装着者とは反対側に突出する。従って、装着者の股下との間に空間１８が形成され、この空間１８には便を収容することができる。この空間１８は、吸収体の一部に便を収容可能な凹部を形成した従来の使い捨ておむつに比べて、十分な大きさを有しており、収容した便が漏れ出てしまうことを防止することができる。
【００２５】
このように吸収性物品は、容易に製造することができるとともに、便の漏れを良好に防止することができる。
【００２６】
吸収性本体の形状は、特に制限はなく、例えば、矩形状、楕円形状、砂時計状、Ｔ字状、提灯状等を挙げることができる。例えば、図１は、矩形状の吸収性本体１０を備える吸収性物品１００を示している。このように、矩形状であると、製造が容易であるという利点がある。
【００２７】
［１−１］剛性部材：
剛性部材は、吸収体のバックシート側に配置される平板状のものであり、剛性を有するものである。このような剛性部材を有することによって、吸収性物品を装着する際に、剛性吸収体の第一の端部と第二の端部とが互いに近接すると、第一の端部と第二の端部との間の中央領域が突出し、吸収性物品と装着者の股下との間に空間を形成することができる。即ち、剛性部材は、空間を形成するための骨組みとして作用し、股下に確実に空間を形成することができるようになる。
【００２８】
剛性部材の形状は、特に制限はなく、矩形状、略矩形状、楕円形状、砂時計状、Ｔ字状、提灯状等を挙げることができる。これらの中でも、略矩形状であることが好ましい。例えば、図１は、２つの略矩形状の剛性部材１５を示している。このように、略矩形状であると、装着される際に吸収性物品が容易に折れ曲がり、装着者の股下との間に空間を良好に形成することができるという利点がある。ここで、本明細書において「略矩形状の剛性部材」とは、例えば、矩形状の剛性部材の角を丸めて得られる形状の剛性部材などを含む概念である。
【００２９】
剛性部材は、平板状のものであり、その厚さは、具体的には、０．５〜２０ｍｍであることが好ましく、１．０〜１０ｍｍであることが更に好ましく、１．５〜５ｍｍであることが特に好ましい。上記厚さが０．５ｍｍ未満であると、必要な剛性を得るためには非常に固い肌触りになり、着用感が悪くなるおそれがある。一方、２０ｍｍ超であると、厚みが有りすぎるので、股下での違和感が大きく不快となるおそれがある。また、剛性部材の嵩が高すぎるので、便を保持する空間の有効部分を減らすことになり、十分な空間を形成できず、軟便、水様便等を良好に収容しきれずに漏れが発生してしまうおそれがある。
【００３０】
剛性部材は、ハンドルオ・メーターによる測定値が１００〜７００ｇの部材であることが好ましく、１５０〜６００ｇであることが更に好ましく、２５０〜４００ｇであることが特に好ましい。上記測定値が１００ｇ未満であると、剛性が不足するので第一の端部と第二の端部が互いに近接しても股下に空間を形成することができないおそれがある。一方、７００ｇ超であると固くなり過ぎるため、着用した際に、姿勢によっては皮膚にあたり痛みを感じ、着用感が悪くなるおそれがある。ここで、本明細書において「ハンドルオ・メーターによる測定値」とは、ＪＩＳ  Ｌ１０９６に準じて測定される値であり、長さ１５０ｍｍ、幅５０ｍｍのサンプル（剛性部材または吸収体）をブレードで押した時に要する力を測定した値である。
【００３１】
剛性部材の材料は、例えば、エアレイド不織布、ウレタンフォームなどを挙げることができる。これらの中でも、部材自体に吸収性能を持つエアレイド不織布（例えば、王子キノクロス社製の商品名「ＴＤＳ不織布」、商品名「Ｂ−ＳＡＰ」）などが好ましい。
【００３２】
剛性部材は、少なくとも吸収性本体の中央部分に配置されていればよい。即ち、剛性部材は、吸収性本体の中央部分のみ配置されていてもよいし、吸収性本体の長手方向の一方の端部から他方の端部まで配置されていてもよい。例えば、図１は、剛性部材１５を、吸収性本体１０の長手方向の一方の端部から他方の端部まで配置している例である。また、図１に示す吸収性物品１００は、吸収体よりも大きい剛性部材が配置されているが、吸収体よりも剛性部材の方が小さくても良い。この場合には、吸収体によって、即ち、装着者の内股には吸収体が当るため、剛性部材の固さを感じ難くなる、即ち、着用した際に、剛性部材が内股に当ることに起因する痛みを感じ難くなるという効果も期待できる。
【００３３】
剛性部材には、吸収性本体の長手方向に平行に、他の部分よりも厚さが薄くなっている折れ線が少なくとも一つ形成されていることが好ましい。このように折れ線を形成することによって、股下に形成される空間を所望の形状にすることができる。即ち、上記折れ線を形成することによって、吸収性物品を装着する際、剛性部材は、他の部分よりも折れ線部分で折れ曲がることになるため、形成される空間を所望の形状にすることができる。
【００３４】
折れ線の数は、特に制限はなく、具体的には、１〜５個であることが好ましく、１〜３個であることが更に好ましい。上記折れ線の数が、５個超であると、１つ１つの平板の幅が短くなりすぎて、装着者と吸収性物品の間に、有効に空間を形成することができなくなるおそれがある。
【００３５】
折れ線は、他の部分よりも厚さが薄くなっているものであり、例えば、剛性部材の一部を除去して形成される切り込みであってもよいし、エンボス加工によって形成される罫線であってもよい。
【００３６】
例えば、図７に示す吸収性物品１０３は、剛性部材１５のバックシート側の表面に、吸収性本体１０３の長手方向に平行に、切り込み（折れ線）１９を３つ形成した例である。このように切り込みを形成すると、吸収性物品を装着する際に、第一の端部と第二の端部との間の中央領域を確実に突出させることができるという利点がある。即ち、装着者の内股などによって第一の端部と第二の端部に外力がかけられたときに、剛性材料は、バックシート側に突出し易くなるという利点がある。なお、図７は、本発明の吸収性物品の別の実施形態を示す断面図である。
【００３７】
吸収性本体は、剛性部材を１つまたは複数有することができる。複数の剛性部材を有する場合、具体的には、１〜５個であることが好ましく、１〜３個であることが特に好ましい。このように複数の剛性部材を有する場合、それぞれの剛性部材は、長手方向の中心軸が吸収性本体の長手方向の中心軸に平行になるように配置されていることが好ましい。複数の剛性部材を有する場合、股下に所望の形状の空間を形成することができる。
【００３８】
例えば、図１に示す吸収性物品１００は、２つの略矩形状の剛性部材１５を有し、これらの剛性部材１５が、それぞれ、長手方向の中心軸が吸収性本体の長手方向の中心軸に平行になるように配置されている例である。
【００３９】
［１−２］吸収体：
吸収体は、着用者の尿を吸収し、保持するための部材である。吸収体は、着用者の尿を吸収し保持する必要があるため、吸収性材料によって構成される。
【００４０】
吸収体を構成する吸収性材料としては、通常の使い捨ておむつに使用されるものを好適に使用することができる。具体的には、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては、例えば、木材パルプや非木材パルプを綿状に解繊したものを用いることが好ましい。また、ＳＡＰとしては、例えば、ポリアクリル酸ナトリウムを用いることが好ましい。親水性シートとしては、例えば、ティシュ、吸収紙、親水化処理を行った不織布を用いることが好ましい。また、吸収体の型崩れ対策として、熱融着繊維等の合成繊維を含んだものであってもよい。
【００４１】
これらの吸収性材料は、通常、単層ないしは複層のマット状として用いられる。この際、上述した吸収性材料のうち１種を単独で用いてもよいし、２種以上を併用してもよい。これらの中でも、フラッフパルプ１００質量部に対して、１０〜５００質量部程度のＳＡＰを併用したものが好ましい。この際、不織布や吸水紙の表面にＳＡＰを固定し、または複数の不織布や吸水紙の層間にＳＡＰを挟持するように固定したシート状にして用いること（いわゆるＳＡＰシートを用いること）ができる。
【００４２】
また、吸収体としては、エアレイド法で成形されたパルプマット（マット状のフラッフパルプ）中に、シート化されたＳＡＰを組み込んだシート状のもの（例えば、王子キノクロス社製の商品名「ＴＤＳ不織布」などを挙げることができる。）、エアレイド法で成形されるパルプマットの中層にＳＡＰを組み込んだシート状のもの（例えば、王子キノクロス社製の商品名「Ｂ−ＳＡＰ」などを挙げることができる。）等を挙げることができる。
【００４３】
吸収体は、トップシートとバックシートの間の少なくとも一部に介装されることが好ましい。通常、吸収体は、トップシートとバックシートの間に挟み込まれ、その周縁部が封着されることによって、トップシートとバックシートの間に介装される。従って、吸収体の周縁部にはトップシートとバックシートの間に吸収体が介装されていないフラップ部分が形成されることになる。
【００４４】
吸収体は、その全体が親水性シートによって包み込まれていることが好ましい。このような構成は、吸収体からＳＡＰが漏洩することを防止し、吸収体に形状安定性を付与することができるという利点がある。
【００４５】
吸収体の形状は、特に制限はなく、通常の使い捨ておむつにおいて使用される形状、例えば、矩形状、砂時計状、ひょうたん状、Ｔ字状等を挙げることができる。これらの中でも、ひょうたん状であることが好ましい。吸収体をひょうたん状とすると、背腹側が広くなり尿の漏れが発生し難くなるという利点がある。また、股下部分が狭いと、サイドフラップが立ち上がりやすくなり、壁が深くなりやすくなる（即ち、股下に形状される空間が大きくなる）という利点がある。
【００４６】
なお、吸収体には、その上面側に（例えば、吸収体とトップシートとの間に）、尿を拡散させるためのシート（セカンドシート）を付帯的に配置してもよい。このセカンドシートを付設すると、排尿量が多い場合や複数回の排尿により吸収体に多くの尿が吸収された状態で更に排尿があった場合などでも、尿や体液等の吸収速度が低下し難く、吸収速度の低下による尿や体液等の漏れを防止することが可能となる。
【００４７】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００４８】
［１−３］トップシート：
トップシートは、吸収体の一方の面、即ち、吸収性物品の装着時において着用者の肌側に位置する面を被覆するように配置され、少なくとも一部が液透過性材料からなるシートである。そして、トップシートの、液透過性材料からなる部分は、吸収体に接触している部分の少なくとも一部（全部または一部）であることが好ましい。このようにトップシートの少なくとも一部（全部または一部）が液透過性材料から構成されることによって、液透過性材料部分から尿を透過させることができ、透過させた尿を吸収体に吸収させることができる。
【００４９】
トップシートの形状は、特に制限はなく、例えば、矩形状、楕円形状等を挙げることができる。
【００５０】
トップシートを構成する液透過性材料としては、例えば、織布、不織布、多孔性フィルム等を挙げることができる。これらの中でも、ポリプロピレン、ポリエチレン、ポリエステル、ナイロン等の熱可塑性樹脂からなる不織布に親水化処理を行ったものを用いることが好ましい。不織布の種類についても特に制限はなく、エアースルー（カード熱風）、カードエンボス、スパンボンド等の各種製法によって製造された従来公知の不織布を好適に用いることができる。
【００５１】
また、トップシートは単一のシート材によって構成されていてもよいが、複数のシート材によって構成されていてもよい。複数のシート材によって構成する場合、例えば、吸収性物品の中央部（吸収体が配置されている位置）には液透過性材料からなるシート（センターシート）を配置し、吸収性物品のサイドフラップ部分には撥水性材料からなるシート（サイドシート）を配置する形態を挙げることができる。
【００５２】
［１−４］バックシート：
バックシートは、吸収体の他方の面、即ち、吸収性物品の装着時において着用者の着衣側に位置する面を被覆するように配置され、液不透過性材料からなるシートである。このようにバックシートは、着用者の尿が吸収性物品外部に漏洩してしまうことを防止するために、液不透過性材料によって構成されているものである。
【００５３】
バックシートを構成する液不透過性材料としては、例えば、ポリエチレン等の樹脂からなる液不透過性フィルム等を挙げることができる。これらの中でも、ムレが改善され、快適な着用感が得られるため、微多孔性ポリエチレンフィルムを用いることが好ましい。この微多孔性ポリエチレンフィルムに形成された多数の微細な孔の直径は、０．１〜数μｍであることが好ましい。
【００５４】
なお、バックシートには、その下面（外表面）側にシート材（カバーシート）を貼り合わせてもよい。このカバーシートを用いると、バックシートが補強され、バックシートの手触り（触感）が良好になるという利点がある。
【００５５】
カバーシートを構成する材料としては、例えば、織布、不織布等を挙げることができる。これらの中でも、熱可塑性樹脂からなる不織布を用いることが好ましい。不織布の種類についても特に制限はなく、エアースルー（カード熱風）、カードエンボス、スパンボンド等の各種製法によって製造された従来公知の不織布を好適に用いることができる。
【００５６】
また、本発明の吸収性物品は、バックシートの吸収体とは反対側の面の一部に、衣類やおむつに吸収性物品を接着させて固定するための接着部が配置されていることが好ましい。このような接着部を配置することによって、装着後、吸収性物品の位置がズレてしまうことを防止することができる。接着部としては、粘着テープ、メカニカルファスナー、ホットメルト等を挙げることができる。
【００５７】
接着部の大きさや配置する位置については、吸収性物品を衣類やおむつ等の内面に固定することができ、吸収性物品の位置ズレを防止することができる程度の結合力が得られるものであれば特に制限はなく、適宜選択することができる。
【００５８】
［１−５］レグギャザー：
本発明の吸収性物品は、図１に示す吸収性物品１００のように、吸収性本体１０の長手方向の中央部に、吸収性本体１０の長手方向に沿って伸縮材１７を配置してレグギャザーを形成することもできる。レグギャザーは、脚周り（吸収性物品の短手方向の端部）からの漏れを防止する効果を有するとともに、吸収性物品を交換する際に吸収性本体の両側で収縮し、股下部近傍を椀状に変形させ、凹部を形成させる。このため、尿や体液がその凹部に溜まり、尿や体液をこぼすことなく、容易に吸収性物品の交換を行うことができる。
【００５９】
例えば、図１に示す吸収性物品１００は、吸収性本体１０の長手方向の中央部に、吸収性本体１０の長手方向に沿って、直線的に二本の伸縮材１７を配置してレグギャザーを形成した例である。なお、伸縮材は、必ずしも直線的に配置する必要はなく、例えば、装着者の脚周りのカーブに沿うように曲線的に配置してもよい。
【００６０】
レグギャザーを形成するための伸縮材としては、従来の使い捨ておむつなどで使用されてきた伸縮材を好適に用いることができる。具体的には、天然ゴムや合成ゴム（ウレタンゴム等）の弾性材からなる糸ゴム、平ゴムの他、伸縮性ネット、伸縮性フィルム、伸縮性フォーム（ウレタンフォーム等）等を挙げることができる。
【００６１】
伸縮材は、吸収性本体のトップシート側の表面、バックシート側の表面、これらの両方、または、トップシート及びバックシートによって挟み込むように配置されて固定されることが好ましい。これらの中でも、トップシート及びバックシートによって挟み込むように配置されて固定することが好ましい。固定方法は特に制限はないが、例えば、ホットメルト接着剤、その他の流動性の高い接着剤を用いた接着であってもよいし、ヒートシールをはじめとする熱や超音波等による溶着であってもよい。
【００６２】
伸縮材は、吸収性本体を収縮させた状態に形成するため、固定に際して伸長させておくことが好ましい。例えば、天然ゴムや合成ゴムの伸縮材を用いる場合には、１２０〜４００％の伸長状態で固定することが好ましく、２００〜３００％の伸長状態で固定することがより好ましい。このような範囲の伸長状態で固定することにより、吸収性物品の装着感を向上させることができる。
【００６３】
［１−６］立体ギャザー：
なお、本発明の吸収性物品は、上述したレグギャザーの代わりに、吸収性物品の短手方向の両端部に沿って少なくとも一対の立体ギャザーを備えてもよい。立体ギャザーは、装着者の排泄した排泄物の横漏れを防止するための部材であり、立体的に起立可能なように構成された防漏壁である。このような立体ギャザーを形成することにより、立体ギャザーが防漏堤となり、吸収性物品の短手方向の端部からの漏れ（いわゆる「横漏れ」）を防止することができる。
【００６４】
立体ギャザーの構成は、従来の使い捨ておむつなどに使用される立体ギャザーと同様の構成を採用することができる。例えば、撥水性のシート材の一部に弾性部材（立体ギャザー弾性部材）を配置し、その立体ギャザー弾性部材によってシート材にギャザー（襞）を形成したもの等を好適に用いることができる。
【００６５】
なお、立体ギャザーは、トップシートやバックシートとは全く別個のシート材により形成してもよいが、センターシートやサイドシート等のトップシートを折り返すことにより形成してもよい。また、立体ギャザーは、股下周辺からの漏れを防止するため、少なくとも吸収性本体の中央部分に形成されていればよく、吸収性本体の長手方向の全体、即ち、吸収性本体の長手方向の一方の端部から他方の端部まで形成されていてもよい。
【００６６】
［２］吸収性物品：
図１１は、本発明の吸収性物品の別の実施形態を示す斜視図であり、トップシート１１２側から見た図である。なお、図１１に示す吸収性物品１０４は、剛性の吸収体１１１からなる剛性吸収体５１の一部を透視して破線で示している。
【００６７】
図１２は、図１１に示す吸収性物品１０４のＡ−Ａ’断面を示す模式図である。図１２に示すように、吸収性物品１０４は、剛性の吸収体１１１からなる剛性吸収体５１と、剛性吸収体５１の一方の面を被覆するように配置され、一部が液透過性材料からなるトップシート１１２と、剛性吸収体５１の他方の面を被覆するように配置され、液不透過性材料からなるバックシート１１３と、を有する吸収性本体４０を備えている。剛性吸収体５１は、短手方向の一方の第一の端部４０ａと短手方向の他方の第二の端部４０ｂとを有するものである。
【００６８】
そして、剛性吸収体５１は、第一の端部４０ａと第二の端部４０ｂとが互いに近接するように外力がかけられると、第一の端部４０ａと第二の端部４０ｂとの間の中央領域が装着者から離れる方向に突出して、吸収性物品１０４と装着者の股下との間に空間を形成し得るものである。
【００６９】
図１３は、図１１に示す吸収性物品１０４を装着した状態を示す模式図であり、吸収性物品１０４と装着者の股下との間に空間４８が形成されている状態を示している。この空間４８には便を収容することができる。この空間４８は、吸収体の一部に便を収容可能な凹部を形成した従来の使い捨ておむつに比べて、十分な大きさを有しており、収容した便が漏れ出てしまうことを防止することができる。この吸収性物品は、容易に製造することができるとともに、便の漏れを良好に防止することができる。
【００７０】
また、図１１に示す吸収性物品１０４は、吸収性本体４０を長手方向に沿って折り重ねて形成されるものであり、折り重ねられた部分のうち、吸収性本体４０の長手方向の両端部が粘着テープ２６によって固定されている一対の襞２７，２７を有している。そして、吸収性本体４０の長手方向の中央部に、吸収性本体４０の長手方向に沿って伸縮材１７を配置してレグギャザーを形成している。
【００７１】
本実施形態の吸収性物品が備える剛性の吸収体は、例えば、エアレイド不織布、ウレタンフォームなどを挙げることができる。これらの中でも、部材自体に吸収性能を持つエアレイド不織布（例えば、王子キノクロス社製の商品名「ＴＤＳ不織布」、商品名「Ｂ−ＳＡＰ」）などにより構成されていることが好ましい。
【００７２】
剛性の吸収体は、ハンドルオ・メーターによる測定値が１００〜７００ｇのものであることが好ましく、１５０〜６００ｇであることが更に好ましく、２５０〜４００ｇであることが特に好ましい。上記測定値が１００ｇ未満であると、剛性が不足するので第一の端部と第二の端部が互いに近接しても股下に空間を形成することができないおそれがある。一方、７００ｇ超であると固くなりすぎるため、着用した際に、姿勢によっては皮膚にあたり痛みを感じ、着用感が悪くなるおそれがある。
【００７３】
剛性吸収体は、複数の剛性の吸収体からなり、複数の剛性の吸収体は、それぞれ、長手方向の中心軸が吸収性本体の長手方向の中心軸に平行になるように配置されていることが好ましい。このように配置すると、股下に形成する空間の形状として多様な形状を選択することができる。図１１に示す吸収性物品１０４は、複数の剛性の吸収体１１１（剛性吸収体５１）を備え、複数の剛性の吸収体１１１（剛性吸収体５１）が、それぞれ、長手方向の中心軸が吸収性本体の長手方向の中心軸に平行になるように配置されている例である。
【００７４】
剛性の吸収体には、吸収性本体の長手方向に平行に、他の部分よりも厚さが薄くなっている折れ線が少なくとも一つ形成されていることが好ましい。このように折れ線を形成することによって、股下に形成される空間を所望の形状にすることができる。即ち、上記折れ線を形成することによって、吸収性物品を装着する際、剛性の吸収体は、他の部分よりも折れ線部分で折れ曲がることになるため、形成される空間を所望の形状にすることができる。
【００７５】
折れ線の数は、特に制限はなく、具体的には、１〜５個であることが好ましく、１〜３個であることが更に好ましい。上記折れ線の数が、５個超であると、１つ１つの平板の幅が短くなりすぎて、装着者と吸収性物品の間に、有効に空間を形成することができなくなるおそれがある。なお、折れ線は、既に上述したように、例えば、剛性部材の一部を除去して形成される切り込みであってもよいし、エンボス加工によって形成される罫線であってもよい。
【００７６】
本実施形態の吸収性物品に備えるトップシート及びバックシートは、既に上述した第一の実施形態の吸収性物品に用いるトップシート及びバックシートと同様のものを同様に用いることができる。また、レグギャザーや立体ギャザーも上述した第一の実施形態の吸収性物品に用いるものと同様のものを用いることができる。
【００７７】
本発明の吸収性物品は、吸収性本体を長手方向に沿って折り重ねて形成され、折り重ねられた部分の一部が固定されている一対の襞を有するものであることが好ましい。このような構成の吸収性物品は、装着された際に、装着者の股下との間に更に十分な空間を形成することができる。
【００７８】
折り重ねられた部分の一部を固定する方法としては、例えば、粘着テープ、熱エンボス加工、ヒートシール、ホットメルトなどによる方法を挙げることができる。
【００７９】
折り重ねられた部分の一部とは、具体的には、吸収性本体の両端部であることが好ましい。このように両端部を固定すると、中央部の股下部分において襞が蛇腹状にしっかり立ち上がりやすくなるので、大きな空間を形成しやすいという利点がある。また、身体にも面で接触しやすくなるので身体との隙間が生じ難く、漏れが発生し難くなるという利点がある。
【００８０】
また、襞の幅（図５に示す「Ｌ」）は、適宜選択することができる。この襞の幅を調節することによって、図６に示すような吸収性物品１０１を装着した際に、装着者の股下との間に形成する空間を大きくすることができる。なお、図６は、図４に示す吸収性物品を装着した状態を示す模式図である。
【００８１】
図４は、本発明の吸収性物品の別の実施形態を示す斜視図であり、図５は、図４に示す吸収性物品１０１のＹ−Ｙ’断面を示す模式図である。図５に示すように、吸収性物品１０１は、吸収体１１を含む剛性吸収体５０と、剛性吸収体５０の一方の面を被覆するように配置され、一部が液透過性材料からなるトップシート１２と、剛性吸収体５０の他方の面を被覆するように配置され、液不透過性材料からなるバックシート１３と、を有する吸収性本体２０を備えている。剛性吸収体５０は、吸収体１１以外に、吸収体１１のバックシート１３側に配置される３つの平板状の剛性部材１５を含むものであり、短手方向の一方の第一の端部２０ａと短手方向の他方の第二の端部２０ｂとを有する。そして、剛性吸収体５０は、第一の端部２０ａと第二の端部２０ｂとが互いに近接するように外力（例えば、装着者の内股２００による力）がかけられると、第一の端部２０ａと第二の端部２０ｂとの間の中央領域が装着者から離れる方向に突出し、吸収性物品１０１と装着者の股下との間に空間を形成し得るものである。
【００８２】
また、吸収性物品１０１は、吸収性本体２０を長手方向に沿って折り重ねて形成されるものであり、折り重ねられた部分のうち、吸収性本体２０の長手方向の両端部が粘着テープ２６によって固定されている一対の襞２７，２７を有している。
【００８３】
更に、吸収性物品１０１は、吸収性本体２０の長手方向の中央部に、吸収性本体２０の長手方向に沿って伸縮材１７を配置してレグギャザーを形成している。なお、上述した第一の実施形態の吸収性物品と共通の構成要素には同一の符号を付してある。
【００８４】
図４に示す吸収性物品１０１は、図６に示すように、装着者の股下に宛がった後、宛がった吸収性物品１０１を内股２００で挟み込んだ状態で使用することができる。この吸収性物品１０１を内股２００で挟み込むと、装着者の股下と吸収性物品１０１との間に空間２８を形成することができ、この空間２８に便を収容することができる。
【００８５】
本発明の吸収性物品は、吸収性本体の中央部を長手方向に沿って２つ折りにして形成されるものであることも好ましい。このような構成の吸収性物品は、製造が容易であり、装着された際に、併用するおむつによって装着者の股下との間に更に十分な空間を形成することができる。例えば、図８は、吸収性本体３０の中央部を長手方向に沿って２つ折りにして形成された吸収性物品１０２を示している。
【００８６】
図８は、本発明の吸収性物品の別の実施形態を示す斜視図であり、図９は、図８に示す吸収性物品１０２のＺ−Ｚ’断面を示す模式図である。図９に示すように、吸収性物品１０２は、吸収体１１を含む剛性吸収体５０と、剛性吸収体５０の一方の面を被覆するように配置され、一部が液透過性材料からなるトップシート１２と、吸収体１１の他方の面を被覆するように配置され、液不透過性材料からなるバックシート１３と、を有する吸収性本体３０を備えている。剛性吸収体５０は、吸収体１１以外に、吸収体１１のバックシート１３側に配置される４つの平板状の剛性部材１５を含むものであり、短手方向の一方の第一の端部３０ａと短手方向の他方の第二の端部３０ｂとを有する。そして、剛性吸収体５０は、第一の端部３０ａと第二の端部３０ｂとが互いに近接するように外力（例えば、装着者の内股２００による力）がかけられると、第一の端部３０ａと第二の端部３０ｂとの間の中央領域が互いに離間するように突出し、吸収性物品１０２と装着者の股下との間に空間を形成し得るものである。
【００８７】
また、吸収性物品１０２は、吸収性本体３０の中央部を長手方向に沿って２つ折りにして形成されている。更に、吸収性物品１０２は、吸収性本体１０の長手方向の中央部に、吸収性本体３０の長手方向に沿って伸縮材１７を配置してレグギャザーを形成している。なお、上述した第一の実施形態の吸収性物品と共通の構成要素には同一の符号を付してある。
【００８８】
図８に示す吸収性物品１０２は、例えば、図１０に示すように、吸収性物品１０２を装着者の股下に宛がわれ、その後、おむつなどを装着すると、装着者とおむつとの間に挟み込まれる。このとき、吸収性物品１０２には、剛性吸収体５０の第一の端部３０ａと第二の端部３０ｂとが互いに近接するように外力がかけられ、第一の端部３０ａと第二の端部３０ｂとの間の中央領域が装着者の内股に向って突出する。このように装着者とおむつなどとにより吸収性物品１０２を挟み込むことによって、装着者の股下と吸収性物品１０１との間に空間３８を形成することができ、この空間３８に便を収容することができる。
【００８９】
［３］吸収性物品の製造方法：
例えば、図１に示す吸収性物品１００は、以下のように製造することができる。まず、親水性シートに包まれた矩形状の吸収体１１と、この吸収体１１の面積よりも大きな面積の、中央部が液透過性材料からなるトップシート１２と、トップシート１２と同様の面積の液不透過性材料からなるバックシート１３と、略矩形状の２つの剛性部材１５，１５と、を用意する。
【００９０】
次に、バックシート１３の上面に２つの剛性部材１５，１５を、それぞれ、長手方向の中心軸がバックシート１３の長手方向の中心軸に平行になるように配置する。次に、剛性部材１５，１５の上面に吸収体１１を配置するとともに、バックシート１３の上面に配置した吸収体１１の上面を被覆するようにトップシート１２を配置する。次いで、吸収体１１の周縁部を封着して吸収性本体１０を製造する。
【００９１】
次に、剛性部材１５，１５の外方で、吸収性本体１０の長手方向の中央部に、吸収性本体１０の長手方向に沿って伸縮材１７を配置する。このとき、伸縮材１７は、トップシート１２及びバックシート１３によって挟み込むように配置し、固定してレグギャザーを形成する。このようにして図１に示す吸収性物品１００を製造することができる。
【００９２】
なお、この一連の工程は、機械的な手段によって連続的に行うことが可能であり、機械的な手段によって連続的に行うと、生産性を向上させることができる。
【産業上の利用可能性】
【００９３】
本発明の吸収性物品は、乳幼児用、または高齢者・障害者用のおむつとして好適に用いることができる。
【図面の簡単な説明】
【００９４】
【図１】本発明の吸収性物品の一の実施形態を示す斜視図である。
【図２】図１に示す吸収性物品のＸ−Ｘ’断面を示す模式図である。
【図３】図１に示す吸収性物品を装着した状態を示す模式図である。
【図４】本発明の吸収性物品の別の実施形態を示す斜視図である。
【図５】図４に示す吸収性物品のＹ−Ｙ’断面を示す模式図である。
【図６】図４に示す吸収性物品を装着した状態を示す模式図である。
【図７】本発明の吸収性物品の別の実施形態を示す断面図である。
【図８】本発明の吸収性物品の別の実施形態を示す斜視図である。
【図９】図８に示す吸収性物品のＺ−Ｚ’断面を示す模式図である。
【図１０】図８に示す吸収性物品を装着した状態を示す模式図である。
【図１１】本発明の吸収性物品の別の実施形態を示す斜視図である。
【図１２】図１１に示す吸収性物品のＡ−Ａ’断面を示す模式図である。
【図１３】図１１に示す吸収性物品を装着した状態を示す模式図である。
【符号の説明】
【００９５】
１０，２０，３０，４０：吸収性本体、１０ａ，２０ａ，３０ａ，４０ａ：第一の端部、１０ｂ，２０ｂ，３０ｂ，４０ｂ：第二の端部、１１，１１１：吸収体、１２，１１２：トップシート、１３，１１３：バックシート、１５：剛性材料、１７：伸縮材、１８，２８，３８，４８：空間、１９：切り込み（折れ線）、２６：粘着テープ、２７：襞、５０，５１：剛性吸収体、１００，１０１，１０２，１０３，１０４：吸収性物品、内股：２００。
【図１】
2010051469.tif 000003
【図２】
2010051469.tif 000004
【図３】
2010051469.tif 000005
【図４】
2010051469.tif 000006
【図５】
2010051469.tif 000007
【図６】
2010051469.tif 000008
【図７】
2010051469.tif 000009
【図８】
2010051469.tif 000010
【図９】
2010051469.tif 000011
【図１０】
2010051469.tif 000012
【図１１】
2010051469.tif 000013
【図１２】
2010051469.tif 000014
【図１３】
2010051469.tif 000015